(57)【要約】【課題】摺動部位において、低温から高温にわたって、静摩擦力を高めつつ、動摩擦力を低減させることができ、低温特性及び熱安定性に優れる緩衝器用潤滑油組成物の提供。【解決手段】１００℃動粘度が０．１〜５．０ｍｍ２／ｓである鉱油系基油と、組成物全量を基準で、重量平均分子量が８０，０００〜２００，０００であるポリ（メタ）アクリレート０．５〜５．０質量％と、数平均分子量が５００〜５，０００であるポリブテン０．０５〜１．０質量％と、一般式（１）のジアルキルジチオリン酸亜鉛０．３〜１．０質量％と、トリアゾール誘導体０．０５〜０．７質量％と、を含有し、ポリブテンの数平均分子量に対する、ポリ（メタ）アクリレートの重量平均分子量の比が５０〜２５０である、緩衝器用潤滑油組成物。2018203954.tif 000018［式（１）中、Ｒ１１〜Ｒ１４は、第一級アルキル基を示す。］【選択図】なし【特許請求の範囲】
【請求項１】
１００℃における動粘度が０．１〜５．０ｍｍ２／ｓである鉱油系基油と、
組成物全量を基準として、
重量平均分子量が８０，０００〜２００，０００であるポリ（メタ）アクリレート０．５〜５．０質量％と、
数平均分子量が５００〜５，０００であるポリブテン０．０５〜１．０質量％と、
下記一般式（１）で表されるジアルキルジチオリン酸亜鉛０．３〜１．０質量％と、
トリアゾール誘導体０．０５〜０．７質量％と、
を含有し、
前記ポリブテンの数平均分子量に対する、前記ポリ（メタ）アクリレートの重量平均分子量の比が５０〜２５０である、
緩衝器用潤滑油組成物。
【化１】
2018203954.tif 000017
［式（１）中、Ｒ１１〜Ｒ１４は、それぞれ独立に第一級アルキル基を示す。］
【請求項２】
前記緩衝器用潤滑油組成物の−４０℃におけるＢＦ粘度が１，５００ｍＰａ・ｓ以下である、
請求項１に記載の緩衝器用潤滑油組成物。
【請求項３】
前記緩衝器用潤滑油組成物の１００℃における動粘度が２．０〜３．５ｍｍ２／ｓである、
請求項１又は２に記載の緩衝器用潤滑油組成物。
【請求項４】
前記ジアルキルジチオリン酸亜鉛が、炭素数６〜１０の第一級アルキル基を含む、
請求項１〜３のいずれか一項に記載の緩衝器用潤滑油組成物。
【発明の詳細な説明】
【技術分野】
【０００１】
本発明は、緩衝器用潤滑油組成物に関する。
【背景技術】
【０００２】
緩衝器は乗用車の車体とタイヤとの間に設置され、路面凹凸による車体の振動、急加速又は急ブレーキの際に発生する揺れ等を緩衝する働きを担っている。そのため、緩衝器に用いられる潤滑油組成物には、緩衝器における摺動を伴う部位（ピストンロッド、オイルシール及びピストンバンドとシリンダーとの摺動部位等）において、潤滑性、摩擦防止剤、熱・酸化防止性等の潤滑剤としての特性が要求される。
【０００３】
緩衝器用潤滑油組成物は、潤滑油基油に各種添加剤を配合したものが開示されている（例えば、特許文献１、２参照。）。
【先行技術文献】
【特許文献】
【０００４】
【特許文献１】特開２００９−０１３３８０号公報
【特許文献２】特開２０１３−１９９５３５号公報
【発明の概要】
【発明が解決しようとする課題】
【０００５】
ところで、緩衝器潤滑油組成物においては、低温（例えば、−４０℃）から高温（例えば、８０℃）にわたって、操縦安定性の向上の観点から、動き出す前の摩擦力（静摩擦力）を向上させつつ、乗り心地の向上の観点から、動き出してからの摩擦力（動摩擦力）を低減させることが求められている。しかし、従来の潤滑油組成物を緩衝器に適用すると、動摩擦力を低減することができたとしても、静摩擦力も連動して低下してしまうという問題がある。
【０００６】
そこで、本発明は、摺動部位において、低温から高温にわたって、静摩擦力を高めつつ、動摩擦力を低減させることができ、さらには、低温特性及び熱安定性に優れる緩衝器用潤滑油組成物を提供することを主な目的とする。
【課題を解決するための手段】
【０００７】
上記目的を達成するために鋭意検討した結果、本発明者らは、特定の潤滑油基油に特定の添加剤を加えることによって、摺動部位において、静摩擦力を高めつつ、動摩擦力を低減させることができ、さらには、低温特性及び熱安定性を改善できることを見出し、本発明を完成するに至った。
【０００８】
すなわち、本発明は、下記［１］〜［４］に示す潤滑油組成物、下記［５］に示す組成物の使用（応用）、及び下記［６］に示す組成物の製造のための使用（応用）を提供する。
【０００９】
［１］１００℃における動粘度が０．１〜５．０ｍｍ２／ｓである鉱油系基油と、組成物全量を基準として、重量平均分子量が８０，０００〜２００，０００であるポリ（メタ）アクリレート０．５〜５．０質量％と、数平均分子量が５００〜５，０００であるポリブテン０．０５〜１．０質量％と、下記一般式（１）で表されるジアルキルジチオリン酸亜鉛０．３〜１．０質量％と、トリアゾール誘導体０．０５〜０．７質量％と、を含有し、ポリブテンの数平均分子量に対する、ポリ（メタ）アクリレートの重量平均分子量の比が５０〜２５０である、緩衝器用潤滑油組成物。
【化１】
2018203954.tif 000002
［式（１）中、Ｒ１１〜Ｒ１４は、それぞれ独立に第一級アルキル基を示す。］
［２］緩衝器用潤滑油組成物の−４０℃におけるＢＦ粘度が１，５００ｍＰａ・ｓ以下である、［１］に記載の緩衝器用潤滑油組成物。
［３］緩衝器用潤滑油組成物の１００℃における動粘度が２．０〜３．５ｍｍ２／ｓである、［１］又は［２］に記載の緩衝器用潤滑油組成物。
［４］ジアルキルジチオリン酸亜鉛が、炭素数６〜１０の第一級アルキル基を含む、［１］〜［３］のいずれかに記載の緩衝器用潤滑油組成物。
［５］組成物の緩衝器用潤滑油としての使用（応用）であって、組成物が、１００℃における動粘度が０．１〜５．０ｍｍ２／ｓである鉱油系基油と、組成物全量を基準として、重量平均分子量が８０，０００〜２００，０００であるポリ（メタ）アクリレート０．５〜５．０質量％と、数平均分子量が５００〜５，０００であるポリブテン０．０５〜１．０質量％と、下記一般式（１）で表されるジアルキルジチオリン酸亜鉛０．３〜１．０質量％と、トリアゾール誘導体０．０５〜０．７質量％と、を含有し、ポリブテンの数平均分子量に対する、ポリ（メタ）アクリレートの重量平均分子量の比が５０〜２５０である、使用（応用）。
【化２】
2018203954.tif 000003
［式（１）中、Ｒ１１〜Ｒ１４は、それぞれ独立に第一級アルキル基を示す。］
［６］組成物の緩衝器用潤滑油の製造のための使用（応用）であって、組成物が、１００℃における動粘度が０．１〜５．０ｍｍ２／ｓである鉱油系基油と、組成物全量を基準として、重量平均分子量が８０，０００〜２００，０００であるポリ（メタ）アクリレート０．５〜５．０質量％と、数平均分子量が５００〜５，０００であるポリブテン０．０５〜１．０質量％と、下記一般式（１）で表されるジアルキルジチオリン酸亜鉛０．３〜１．０質量％と、トリアゾール誘導体０．０５〜０．７質量％と、を含有し、ポリブテンの数平均分子量に対する、ポリ（メタ）アクリレートの重量平均分子量の比が５０〜２５０である、使用（応用）。
【化３】
2018203954.tif 000004
［式（１）中、Ｒ１１〜Ｒ１４は、それぞれ独立に第一級アルキル基を示す。］
【発明の効果】
【００１０】
本発明によれば、摺動部位において、低温から高温にわたって、静摩擦力を高めつつ、動摩擦力を低減させることができ、さらには、低温特性及び熱安定性に優れる緩衝器用潤滑油組成物を提供することができる。
【発明を実施するための形態】
【００１１】
以下、本発明の実施形態について詳細に説明する。ただし、本発明は以下の実施形態に限定されるものではない。
【００１２】
一実施形態に係る緩衝器用潤滑油組成物は、特定の潤滑油基油と、特定の粘度調整剤と、特定のジアルキルジチオリン酸亜鉛と、特定のトリアゾール誘導体と、を含有する。
【００１３】
＜鉱油系基油＞
本実施形態の緩衝器用潤滑油組成物は、１００℃における動粘度が０．１〜５．０ｍｍ２／ｓである鉱油系基油を含有する。鉱油系基油は、１００℃における動粘度が０．１〜５．０ｍｍ２／ｓであれば、通常の潤滑油分野に使用される基油を使用することができる。
【００１４】
鉱油系基油としては、例えば、パラフィン系、ナフテン系、又は芳香族系の原油の蒸留により得られる灯油留分；灯油留分からの抽出操作等により得られるノルマルパラフィン；及びパラフィン系、ナフテン系、又は芳香族系の原油の蒸留により得られる潤滑油留分、あるいは潤滑油脱ろう工程により得られる、スラックワックス等のワックス及び／又はガストゥリキッド（ＧＴＬ）プロセス等により得られる、フィッシャートロプシュワックス、ＧＴＬワックス等の合成ワックスを原料とし、溶剤脱れき、溶剤抽出、水素化分解、水素化異性化、溶剤脱ろう、接触脱ろう、水素化精製、硫酸洗浄、白土処理等の精製処理を１つ又は２つ以上適宜組み合わせて精製したパラフィン系鉱油、ナフテン系鉱油、ノルマルパラフィン系基油、イソパラフィン系基油、芳香族系基油が挙げられる。これらの鉱油系基油は１種を単独で使用してもよく、２種以上を任意の割合で組み合わせて使用してもよい。また、後述の合成系基油の１種以上と任意の割合で組み合わせて使用してもよい。
【００１５】
鉱油系基油の１００℃における動粘度は、０．１〜５．０ｍｍ２／ｓである。１００℃における動粘度は、好ましくは０．５ｍｍ２／ｓ以上、より好ましくは１ｍｍ２／ｓ以上、さらに好ましくは１．５ｍｍ２／ｓ以上である。１００℃における動粘度は、好ましくは４ｍｍ２／ｓ以下、より好ましくは３．５ｍｍ２／ｓ以下、さらに好ましくは３ｍｍ２／ｓ以下である。１００℃における動粘度が上記の範囲内であると、鉱油系基油の適正な粘性を確保でき、実使用温度域において良好な油膜が得られる傾向にある。
【００１６】
鉱油系基油の４０℃における動粘度は、特に制限されないが、好ましくは４〜１０ｍｍ２／ｓである。４０℃における動粘度は、より好ましくは５ｍｍ２／ｓ以上、さらに好ましくは６ｍｍ２／ｓ以上、特に好ましくは７ｍｍ２／ｓ以上である。４０℃における動粘度は、より好ましくは９．５ｍｍ２／ｓ以下、さらに好ましくは９．２ｍｍ２／ｓ以下、特に好ましくは９ｍｍ２／ｓ以下である。４０℃における動粘度が上記の範囲内であると、鉱油系基油の適正な粘性を確保でき、実使用温度域において良好な油膜が得られる傾向にある。
【００１７】
鉱油系基油の粘度指数は、特に制限されないが、好ましくは６０以上、より好ましくは８０以上、さらに好ましくは９０以上である。粘度指数が上記の範囲内であると、外部の温度に対して粘度の安定性が確保されるため、使用時における外部の温度変化に対しても安定的に油膜を形成できる傾向にある。鉱油系基油の粘度指数の上限は、特に制限されないが、例えば、１５０以下であってよい。
【００１８】
本明細書における４０℃及び１００℃における動粘度並びに粘度指数は、それぞれＪＩＳ  Ｋ２２８３「原油及び石油製品−動粘度試験方法及び粘度指数算出方法」に準拠して測定される値を意味する。
【００１９】
鉱油系基油の流動点は、特に制限されないが、−２０℃以下、−３０℃以下、又は−４０℃以下であってよい。本明細書における流動点は、ＪＩＳ  Ｋ２２６９「原油及び石油製品の流動点並びに石油製品曇り点試験方法」に準拠して測定される値を意味する。
【００２０】
鉱油系基油の引火点は、特に制限されないが、１３０℃以上、１４０℃以上、又は１５０℃以上であってよい。本明細書における引火点は、ＪＩＳ  Ｋ２２６５−４「引火点の求め方−第４部：クリーブランド開放法」に準拠して測定される値を意味する。
【００２１】
＜潤滑油用添加剤＞
［ポリ（メタ）アクリレート］
本実施形態の緩衝器用潤滑油組成物は、重量平均分子量が８０，０００〜２００，０００であるポリ（メタ）アクリレートを含有する。ポリ（メタ）アクリレートは、粘度調整剤として作用し得る潤滑油添加剤である。潤滑油組成物にポリ（メタ）アクリレートを含有させることによって、潤滑油組成物の低温時における静摩擦力の向上及び動摩擦力の低減が可能となる。なお、ポリ（メタ）アクリレートは、ポリアクリレート又はポリメタクリレートを意味する。
【００２２】
ポリ（メタ）アクリレートは、通常の潤滑油分野の粘度調整剤として使用されるポリ（メタ）アクリレートを使用することができる。ポリ（メタ）アクリレートは、重量平均分子量が上述の条件を満たすものであれば、１種を単独で使用してもよく、２種以上を任意の割合で組み合わせて使用してもよい。
【００２３】
ポリ（メタ）アクリレートは、非分散型のポリ（メタ）アクリレートであってもよい。なお、「非分散型」のポリ（メタ）アクリレートとは、水酸基、アミノ基、アミド基等の極性基を側鎖に有しないポリ（メタ）アクリレートを意味する。非分散型のポリ（メタ）アクリレートは、例えば、一般式（Ａ−１）で表される単量体の重合体であってもよい。
【００２４】
【化４】
2018203954.tif 000005
【００２５】
式（Ａ−１）中、Ｒ１は水素原子又はメチル基を示し、Ｒ２は炭素数１〜３０の直鎖状又は分枝状の炭化水素基を示す。
【００２６】
Ｒ２で表される炭素数１〜３０の炭化水素基としては、例えば、メチル基、エチル基、プロピル基、ブチル基、ペンチル基、ヘキシル基、ヘプチル基、オクチル基、ノニル基、デシル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基、トリコシル基、テトラコシル基、ペンタコシル基、ヘキサコシル基、ヘプタコシル基、オクタコシル基、ノナコシル基、トリアコンチル基等のアルキル基（これらアルキル基は直鎖状又は分岐状であってもよい。）などが挙げられる。
【００２７】
ポリ（メタ）アクリレートは、市販品をそのまま用いてもよいし、公知の方法によって製造したものを用いてもよい。ポリ（メタ）アクリレートの製造方法としては、例えば、ベンゾイルパーオキシド等の重合開始剤の存在下で、一般式（Ａ−１）で表される単量体をラジカル溶液重合させる方法が挙げられる。
【００２８】
ポリ（メタ）アクリレートの重量平均分子量（Ｍｗ）は、８０，０００〜２００，０００である。重量平均分子量は、好ましくは８５，０００以上、より好ましくは９０，０００以上、さらに好ましくは１００，０００以上である。重量平均分子量が８０，０００以上であると、潤滑油組成物の粘度指数を有効的に向上させることができる。重量平均分子量は、好ましくは１９０，０００以下、より好ましくは１８０，０００以下、さらに好ましくは１７０，０００以下である。重量平均分子量が２００，０００以下であると、潤滑油組成物の粘度指数を向上させるとともにせん断安定性を向上させることができる。なお、重量平均分量は、ゲルパーミエーションクロマトグラフィー（ＧＰＣ）法により測定し、標準ポリスチレン検量線に基づき換算した値を意味する。
【００２９】
後述のポリブテンの数平均分子量に対する、ポリ（メタ）アクリレートの重量平均分子量の比（ポリ（メタ）アクリレートの重量平均分子量／ポリブテンの数平均分子量）は、５０〜２５０である。当該比は、好ましくは５２以上、より好ましくは５５以上、さらに好ましくは６０以上である。当該比は、好ましくは２２０以下、より好ましくは２００以下、さらに好ましくは１８０以下である。当該比が上記範囲内であると、潤滑油組成物の摩擦特性が改善される傾向にある。
【００３０】
ポリ（メタ）アクリレートの含有量は、組成物全量を基準として、０．５〜５．０質量％である。ポリ（メタ）アクリレートの含有量は、好ましくは１．０質量％以上、より好ましくは１．２質量％以上、さらに好ましくは１．５質量％以上である。ポリ（メタ）アクリレートの含有量は、好ましくは４．５質量％以下、より好ましくは４．０質量％以下、さらに好ましくは３．５質量％以下である。ポリ（メタ）アクリレートの含有量の範囲が上記範囲内であると、潤滑油組成物の低温時における静摩擦力を高めつつ、動摩擦力を低減させることができる。
【００３１】
［ポリブテン］
本実施形態の緩衝器用潤滑油組成物は、数平均分子量が５００〜５，０００であるポリブテンを含有する。ポリブテンは、ポリ（メタ）アクリレートと同様に、粘度調整剤として作用し得る潤滑油添加剤である。潤滑油組成物にポリブテンを含有させることによって、タック性（粘着性）が付与され、濡れ性が改善される傾向にある。これによって、緩衝器における摺動を伴う部位の油膜応答性が向上し、静摩擦力（操縦安定性）を向上させることができる。ポリブテンは、数平均分子量が上述の条件を満たすものであれば、１種を単独で使用してもよく、２種以上を任意の割合で組み合わせて使用してもよい。
【００３２】
ポリブテンは、二重結合を有するブテン類を重合することによって得られる重合体である。ポリブテンは、例えば、下記一般式（Ｘ）で表されるポリマであってもよい。
【００３３】
【化５】
2018203954.tif 000006
【００３４】
式（Ｘ）中、ｎは、５〜９０の整数を表す。
【００３５】
ポリブテンは、市販品をそのまま用いてもよいし、公知の方法によって製造したものを用いてもよい。ポリブテンの製造方法としては、例えば、ナフサ分解で生成するＣ４留分からブタジエンを取り除き、酸触媒を用いて重合させる方法が挙げられる。
【００３６】
ポリブテンの数平均分子量（Ｍｎ）は、５００〜５，０００である。数平均分子量は、好ましくは５５０以上、より好ましくは７００以上、さらに好ましくは９００以上である。数平均分子量は、好ましくは４，０００以下、より好ましくは３，０００以下、さらに好ましくは２，７００以下である。数平均分子量がこのような範囲にあると、摺動部位における静摩擦力を最適化することが可能となる。なお、数平均分子量は、蒸気圧式分子量測定（ＶＰＯ）法によって測定した値を意味する。
【００３７】
ポリブテンの含有量は、組成物全量を基準として、０．０５〜１．０質量％である。ポリブテンの含有量は、好ましくは０．１質量％以上、より好ましくは０．２質量％以上、さらに好ましくは０．４質量％以上である。ポリブテンの含有量は、好ましくは０．９質量％以下、より好ましくは０．８質量％以下、さらに好ましくは０．６質量％以下である。ポリブテンの含有量の範囲が上記範囲内であると、潤滑油組成物の静摩擦力を向上させることができる。
【００３８】
ポリ（メタ）アクリレート及びポリブテンの合計の含有量は、組成物全量を基準として、０．５５〜６．０質量％であってもよい。ポリ（メタ）アクリレート及びポリブテンの合計の含有量は、は、１．０質量％以上、１．５質量％以上、又は２．０質量％以上であってもよく、５．０質量％以下、４．０質量％以下、又は３．０質量％以下であってもよい。
【００３９】
［ジアルキルジチオリン酸亜鉛］
本実施形態の緩衝器用潤滑油組成物は、下記一般式（１）で表されるジアルキルジチオリン酸亜鉛を含有する。潤滑油組成物にこのようなジアルキルジチオリン酸亜鉛を含有させることによって、潤滑油組成物の摩擦特性及び熱安定性の向上が可能となる。ジアルキルジチオリン酸亜鉛は、一般式（１）で表されるものであれば、１種を単独で使用してもよく、２種以上を任意の割合で組み合わせて使用してもよい。
【００４０】
【化６】
2018203954.tif 000007
【００４１】
式（１）中、Ｒ１１〜Ｒ１４は、それぞれ独立に第一級アルキル（プライマリーアルキル）基を示す。ここで、第一級アルキル基は、下記一般式（１Ａ）で表されるアルキル基である。Ｒ１１〜Ｒ１４は、互いに同一であってもよく、異なっていてもよい。
【００４２】
【化７】
2018203954.tif 000008
【００４３】
式（１Ａ）中、Ｒ１５は、水素原子、又は直鎖状若しくは分岐状のアルキル基を示す。
【００４４】
第一級アルキル基（一般式（１Ａ）で表されるアルキル基）としては、例えば、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基、イソアミル基、２−メチルブチル基、２，３−ジメチルブチル基等が挙げられる。
【００４５】
ジアルキルジチオリン酸亜鉛は、第一級アルキル基として、炭素数６〜１０の第一級アルキル基を含むことが好ましく、炭素数７〜９の第一級アルキル基を含むことがより好ましく、炭素数８の第一級アルキル基を含むことがさらに好ましい。ジアルキルジチオリン酸亜鉛が炭素数６〜１０の第一級アルキル基を含むことによって、潤滑油組成物の摩擦特性及び熱安定性がより優れる傾向にある。
【００４６】
本実施形態の緩衝器用潤滑油組成物は、ジアルキルジチオリン酸亜鉛として、一般式（１）で表されるジアルキルジチオリン酸亜鉛とともに、一般式（２）で表されるジアルキルジチオリン酸亜鉛を含有していてもよい。
【００４７】
【化８】
2018203954.tif 000009
【００４８】
式（２）中、Ｒ２１〜Ｒ２４は、それぞれ独立に第二級アルキル（セカンダリーアルキル）基を示す。ここで、第二級アルキル基は、下記一般式（２Ａ）で表されるアルキル基である。Ｒ２１〜Ｒ２４は、互いに同一であってもよく、異なっていてもよい。
【００４９】
【化９】
2018203954.tif 000010
【００５０】
式（２Ａ）中、Ｒ２５及びＲ２６は、直鎖状又は分岐状のアルキル基を示す。
【００５１】
第二級アルキル基（一般式（２Ａ）で表されるアルキル基）としては、例えば、イソプロピル基、ｓｅｃ−ブチル基、１−エチルプロピル基等が挙げられる。
【００５２】
一般式（２）で表されるジアルキルジチオリン酸亜鉛の含有量は、ジアルキルジチオリン酸亜鉛全量を基準として、４０質量％以下、３０質量％以下、又は２５質量％以下であってもよい。
【００５３】
一般式（１）及び一般式（２）で表されるジアルキルジチオリン酸亜鉛は、市販品をそのまま用いてもよいし、公知の方法によって製造したものを用いてもよい。
【００５４】
ジアルキルジチオリン酸亜鉛の含有量は、組成物全量を基準として、０．３〜１．０質量％である。ジアルキルジチオリン酸亜鉛の含有量は、好ましくは０．４質量％以上、より好ましくは０．６質量％以上、さらに好ましくは０．７質量％以上である。ジアルキルジチオリン酸亜鉛の含有量は、好ましくは０．９７質量％以下、より好ましくは０．９５質量％以下、さらに好ましくは０．９質量％以下である。ジアルキルジチオリン酸亜鉛の含有量が上記範囲内であると、潤滑油組成物の摩擦特性及び熱安定性が優れる傾向にある。
【００５５】
［トリアゾール誘導体］
本実施形態の緩衝器用潤滑油組成物は、トリアゾール誘導体を含有する。潤滑油組成物にトリアゾール誘導体を含有させることによって、潤滑油組成物の高温時における静摩擦力の向上及び動摩擦力の低減が可能となる。トリアゾール誘導体は、１種を単独で使用してもよく、２種以上を任意の割合で組み合わせて使用してもよい。
【００５６】
トリアゾール誘導体は、ベンゾトリアゾール誘導体であってもよい。ベンゾトリアゾール誘導体としては、例えば、一般式（３）で表される化合物、一般式（４）で表される化合物等が挙げられる。
【００５７】
【化１０】
2018203954.tif 000011
【００５８】
【化１１】
2018203954.tif 000012
【００５９】
式（３）及び（４）中、Ｒ３１及びＲ４１は、水素原子又はメチル基を示し、Ｒ３２及びＲ４２は、水素原子、水酸基、又は窒素原子若しくは酸素原子を含む炭素数１〜２０の基を示す。Ｒ３２及びＲ４２は、窒素原子を含む炭素数１０〜２０の基であることが好ましい。
【００６０】
トリアゾール誘導体は、市販品をそのまま用いてもよいし、公知の方法によって製造したものを用いてもよい。
【００６１】
トリアゾール誘導体の含有量は、組成物全量を基準として、０．０５〜０．７質量％である。トリアゾール誘導体の含有量は、好ましくは０．０７質量％以上、より好ましくは０．０９質量％以上、さらに好ましくは０．１質量％以上である。トリアゾール誘導体の含有量は、好ましくは０．６質量％以下、より好ましくは０．５５質量％以下、さらに好ましくは０．５質量％以下である。トリアゾール誘導体の含有量が上記範囲内であると、潤滑油組成物の高温時における静摩擦力を高めつつ、動摩擦力を低減させることができる。
【００６２】
［脂肪酸と多価アルコールとのエステル］
本実施形態の緩衝器用潤滑油組成物は、脂肪酸と多価アルコールとから構成されるエステル（以下、単に「エステル」という場合がある。）をさらに含有していてもよい。
【００６３】
エステルを構成する脂肪酸は、例えば、炭素数６〜３０の直鎖状若しくは分岐状のアルキル基又はアルケニル基を有する脂肪酸であってもよい。アルキル基又はアルケニル基の炭素数は、好ましくは８〜２４、より好ましくは１０〜２０である。これらの脂肪酸は１種を単独で使用してもよく、２種以上を任意の割合で組み合わせて使用してもよい。
【００６４】
脂肪酸としては、例えば、オレイン酸、カプリン酸、ラウリン酸、ミリスチン酸、パルミチン酸、ステアリン酸、イソステアリン酸等が挙げられる。
【００６５】
エステルを構成する多価アルコールは、例えば、炭素数２〜８の２〜６価の脂肪族アルコールであってもよい。多価アルコールの炭素数は、好ましくは２〜６、より好ましくは３〜５である。多価アルコールの価数は、好ましくは２〜４価、より好ましくは３価又は４価である。これらの多価アルコールは１種を単独で使用してもよく、２種以上を任意の割合で組み合わせて使用してもよい。
【００６６】
多価アルコールとしては、例えば、エチレングリコール、プロピレングリコール、ソルビタン、グリセロール、ペンタエリスリトール等が挙げられる。
【００６７】
エステルとしては、例えば、オレイン酸とソルビタン、グリセロール、ペンタエリスリトール等の多価アルコールとの部分エステル、すなわち、ソルビタンモノオレート、グリセロールモノオレエート、ペンタエリスリトールモノオレエート等が挙げられる。これらのエステルは１種を単独で使用してもよく、２種以上を任意の割合で組み合わせて使用してもよい。
【００６８】
エステルは、多価アルコールの水酸基の一部がエステル化されていない部分エステルであっても、多価アルコールの水酸基の全部がエステル化されている完全エステルであってもよい。エステルは、摩擦特性の観点から、部分エステルであることが好ましい。
【００６９】
エステルは、市販品をそのまま用いてもよいし、公知の方法によって製造したものを用いてもよい。
【００７０】
エステルの含有量は、例えば、組成物全量を基準として、０．１〜１．０質量％であってもよい。
【００７１】
［脂肪酸アミド］
本実施形態の緩衝器用潤滑油組成物は、脂肪酸アミドをさらに含有していてもよい。脂肪酸アミドは、例えば、脂肪酸と下記一般式（Ｅ）で表されるポリアルキレンポリアミンとから構成される脂肪酸アミドであってもよい。
Ｈ２Ｎ−（ＲＥ１−ＮＨ）ｍ−Ｈ  （Ｅ）
【００７２】
式（Ｅ）中、ＲＥ１は、炭素数２〜４のアルキレン基を示し、ｍは、２〜６の整数を示す。
【００７３】
脂肪酸アミドを構成する脂肪酸は、例えば、炭素数６〜３０の直鎖状若しくは分岐状のアルキル基又はアルケニル基を有する脂肪酸であってもよい。アルキル基又はアルケニル基の炭素数は、好ましくは８〜２４、より好ましくは１０〜２０である。これらの脂肪酸は単独で使用してもよく、２種以上を任意の割合で組み合わせて使用してもよい。
【００７４】
脂肪酸としては、例えば、オレイン酸、カプリン酸、ラウリン酸、ミリスチン酸、パルミチン酸、ステアリン酸、イソステアリン酸等が挙げられる。
【００７５】
脂肪酸アミドを構成する一般式（Ｅ）で表されるポリアルキレンポリアミンとしては、例えば、ジエチレントリアミン、トリエチレンテトラミン、テトラエチレンペンタミン、ペンタエチレンヘキサミン、ヘキサエチレンヘプタミン、テトラプロピレンペンタミン、ヘキサブチレンヘプタミン等が挙げられる。これらのポリアルキレンポリアミンは１種を単独で使用してもよく、２種以上を任意の割合で組み合わせて使用してもよい。
【００７６】
脂肪酸アミドとしては、例えば、イソステアリン酸とテトラエチレンペンタミンとのアミド等が挙げられる。脂肪酸アミドは１種を単独で使用してもよく、２種以上を任意の割合で組み合わせて使用してもよい。
【００７７】
脂肪酸アミドは、市販品をそのまま用いてもよいし、公知の方法によって製造したものを用いてもよい。
【００７８】
脂肪酸アミドの含有量は、例えば、組成物全量を基準として、０．１〜０．５質量％であってもよい。
【００７９】
［アミン系酸化防止剤］
本実施形態の緩衝器用潤滑油組成物は、アミン系酸化防止剤をさらに含有していてもよい。アミン系酸化防止剤は、特に制限されずに、通常の潤滑油分野に使用されるものを使用することができる。
【００８０】
アミン系酸化防止剤としては、例えば、下記一般式（Ａ）で表される（ｐ，ｐ’）−アルキル化ジフェニルアミン、下記一般式（Ｂ）で表されるアルキル化フェニル−α−ナフチルアミン等が挙げられる。これらのアミン系酸化防止剤は１種を単独で使用してもよく、２種以上を任意の割合で組み合わせて使用してもよい。
【００８１】
【化１２】
2018203954.tif 000013
【００８２】
式（Ａ）中、ＲＡ１及びＲＡ２は、それぞれ独立に、炭素数１〜２０のアルキル基を示す。ＲＡ１及びＲＡ２としてのアルキル基の炭素数は、好ましくは３〜１２、より好ましくは４〜８である。ＲＡ１及びＲＡ２は、互いに同一であっても、異なっていてもよい。
【００８３】
【化１３】
2018203954.tif 000014
【００８４】
式（Ｂ）中、ＲＢ１は、水素原子又は炭素数１〜２０のアルキル基を示す。ＲＢ１としてのアルキル基の炭素数は、好ましくは６〜２０、より好ましくは８〜１８である。
【００８５】
アミン系酸化防止剤の含有量は、例えば、組成物全量を基準として、０．１〜０．５質量％であってもよい。
【００８６】
［消泡剤］
本実施形態の緩衝器用潤滑油組成物は、消泡剤をさらに含有していてもよい。消泡剤は、特に制限されずに、通常の潤滑油分野に使用されるものを使用することができる。
【００８７】
消泡剤としては、例えば、２５℃における動粘度が１００〜１，０００，０００ｍｍ２／ｓのハロゲン化アルキル基を有していてもよいシリコーンオイル、アルケニルコハク酸誘導体、ポリヒドロキシ脂肪族アルコールと長鎖脂肪酸とのエステル、メチルサリチレートとｏ−ヒドロキシベンジルアルコールとのエステル等が挙げられる。
【００８８】
消泡剤の含有量は、例えば、組成物全量を基準として、０．１〜１００質量ｐｐｍであってもよい。
【００８９】
［その他の添加剤］
本実施形態の緩衝器用潤滑油組成物は、その目的に応じて、一般的に使用されている任意の潤滑油用添加剤をさらに含有していてもよい。このような添加剤としては、例えば、金属系清浄剤、防錆剤、抗乳化剤、金属不活性化剤等が挙げられる。
【００９０】
金属系清浄剤としては、例えば、スルホネート系清浄剤、サリチレート系清浄剤、フェネート系清浄剤等が挙げられ、アルカリ金属又はアルカリ土類金属との正塩、塩基性塩、過塩基性塩のいずれをも配合することができる。
【００９１】
防錆剤としては、例えば、石油スルホネート、アルキルベンゼンスルホネート、ジノニルナフタレンスルホネート、アルケニルコハク酸エステル、多価アルコールエステル等が挙げられる。
【００９２】
抗乳化剤としては、例えば、ポリオキシエチレンアルキルエーテル、ポリオキシエチレンアルキルフェニルエーテル、ポリオキシエチレンアルキルナフチルエーテル等のポリアルキレングリコール系非イオン系界面活性剤などが挙げられる。
【００９３】
これらのその他の添加剤を用いる場合、それぞれの含有量は、組成物全量を基準として、０．０１〜２０質量％であってもよい。
【００９４】
本実施形態の緩衝器用潤滑油組成物の１００℃における動粘度は、好ましくは２．０〜３．５ｍｍ２／ｓである。１００℃における動粘度は、より好ましくは２．５ｍｍ２／ｓ以上、さらに好ましくは２．８ｍｍ２／ｓ以上、特に好ましくは３．０ｍｍ２／ｓ以上である。１００℃における動粘度は、より好ましくは３．４ｍｍ２／ｓ以下、さらに好ましくは３．３ｍｍ２／ｓ以下、特に好ましくは３．２ｍｍ２／ｓ以下である。１００℃における動粘度が上記の範囲内であると、潤滑油組成物の適正な粘性を確保でき、実使用温度域において良好な油膜が得られる傾向にある。
【００９５】
本実施形態の緩衝器用潤滑油組成物の−４０℃におけるＢＦ粘度は、１，５００ｍＰａ・ｓ以下である。−４０℃におけるＢＦ粘度は、好ましくは１，４００ｍＰａ・ｓ以下、より好ましくは１，３５０ｍＰａ・ｓ以下、さらに好ましくは１，３００ｍＰａ・ｓ以下である。−４０℃におけるＢＦ粘度が１，５００ｍＰａ・ｓ以下であると、潤滑油組成物の低温特性が優れる傾向にある。−４０℃におけるＢＦ粘度は、例えば、８００ｍＰａ・ｓ以上であってもよい。なお、本明細書における−４０℃におけるＢＦ粘度は、ＡＳＴＭ  Ｄ  ２９８３に準拠して測定される値を意味する。
【００９６】
本発明によれば、摺動部位において、低温から高温にわたって、静摩擦力を高めつつ、動摩擦力を低減させることができ、さらには、低温特性及び熱安定性に優れる緩衝器用潤滑油組成物が提供される。このような潤滑油組成物を緩衝器に適用することによって、優れた操縦安定性及び乗り心地を得ることができる。
【実施例】
【００９７】
以下、本発明について実施例を挙げてより具体的に説明する。ただし、本発明はこれら実施例に限定されるものではない。
【００９８】
［潤滑油組成物の調製］
（実施例１〜８及び比較例１〜６）
表１及び表２に示すように、実施例１〜８及び比較例１〜６の潤滑油組成物をそれぞれ調製した。なお、潤滑油組成物の調製の際には、その１００℃における動粘度が、３．１〜３．４ｍｍ２／ｓの範囲内になるように主にポリ（メタ）アクリレートの含有量を調整した。得られた潤滑油組成物について、粘度特性、低温特性、摩擦特性、熱安定性等を検討した。
【００９９】
表１及び表２に示した各成分の詳細は以下のとおりである。
【０１００】
＜鉱油系基油＞
Ｘ−１：水素化精製鉱油（ＧｐＩＩ）（４０℃動粘度：７．７１ｍｍ２／ｓ、１００℃動粘度：２．２５４ｍｍ２／ｓ、粘度指数：９９、流動点：−４２℃、引火点：１６２℃）
Ｘ−２：水素化精製鉱油（ＧｐＩＩ）（４０℃動粘度：８．８５４ｍｍ２／ｓ、１００℃動粘度：２．４６４ｍｍ２／ｓ、粘度指数：１００、流動点：−４２．５℃、引火点：１６８℃）
【０１０１】
＜ポリ（メタ）アクリレート＞
Ａ−１：非分散型ポリメタクリレート、エボニックジャパン社製、ＶＩＳＣＯＰＬＥＸ  １２−４１９（重量平均分子量：１７０，０００）
Ａ−２：非分散型ポリメタクリレート、エボニックジャパン社製、ＶＩＳＣＯＰＬＥＸ  １２−２０５（重量平均分子量：１００，０００）
ａ−１：非分散型ポリメタクリレート、三洋化成工業株式会社製、アクルーブＶ８１５（重量平均分子量：２０，０００）
【０１０２】
＜ポリブデン＞
Ｂ−１：ポリブデン、日油株式会社製、日油ポリブデン０１５Ｎ（数平均分子量：５８０、４０℃動粘度：６５０ｍｍ２／ｓ、１００℃動粘度：３５ｍｍ２／ｓ、流動点：−２５℃）
Ｂ−２：ポリブデン、日油株式会社製、日油ポリブデン１０Ｎ（数平均分子量：１，０００、４０℃動粘度：９，０００ｍｍ２／ｓ、１００℃動粘度：２７０ｍｍ２／ｓ、流動点：−１０℃）
Ｂ−３：ポリブデン、日油株式会社製、日油ポリブデン２００Ｎ（数平均分子量：２，６５０、４０℃動粘度：１７０，０００ｍｍ２／ｓ、１００℃動粘度：４，５００ｍｍ２／ｓ、流動点：１５℃）
【０１０３】
＜ジアルキルジチオリン酸亜鉛＞
Ｃ−１：ジアルキルジチオリン酸亜鉛（上記一般式（１）のＲ１１〜Ｒ１４が炭素数８の第１級アルキル基である化合物）、オロナイト社製、ＯＬＯＡ  ２６９Ｒ（亜鉛含有量：９．０質量％、リン含有量：７．４質量％、硫黄含有量：１５．０質量％）
Ｃ−２：ジアルキルジチオリン酸亜鉛（上記一般式（１）のＲ１１〜Ｒ１４が炭素数４の第１級アルキル基である化合物（７０質量％）とＲ１１〜Ｒ１４が炭素数５の第１級アルキル基である化合物（１０質量％）とＲ１１〜Ｒ１４が炭素数８の第１級アルキル基である化合物（２０質量％）との混合物）、オロナイト社製、ＯＬＯＡ  ２６７（亜鉛含有量：８．５質量％、リン含有量：７．５質量％、硫黄含有量：１５．０質量％）
ｃ−１：ジアルキルジチオリン酸亜鉛（上記一般式（２）のＲ２１〜Ｒ２４が炭素数４の第２級アルキル基である化合物（９０質量％）とＲ２１〜Ｒ２４が炭素数６の第２級アルキル基である化合物（１０質量％）との混合物）、オロナイト社製、ＯＬＯＡ  ２６７（亜鉛含有量：８．５質量％、リン含有量：７．５質量％、硫黄含有量：１５．０質量％）
【０１０４】
＜トリアゾール誘導体＞
Ｄ−１：Ｎ，Ｎ−ビス（２−エチルヘキシル）−４−メチル−１Ｈ−ベンゾトリアゾール−１−メタンアミン、ＢＡＳＦ社製、ＩＲＧＡＭＥＴ  ３９
【０１０５】
＜脂肪酸と多価アルコールとのエステル＞
Ｅ−１：ペンタエリスリトールモノオレエート、花王株式会社製、エキセパールＰＥ−ＭＯ
【０１０６】
＜脂肪酸アミド＞
Ｆ−１：イソステアリン酸とテトラエチレンペンタミンとの反応物、オロナイト社製、ＯＬＯＡ  ３４０Ｄ（窒素含有量：６．２質量％）
【０１０７】
＜酸化防止剤＞
Ｇ−１：モノブチルフェニルモノオクチルフェニルアミン、ＢＡＳＦ社製、ＩＲＧＡＮＯＸ  Ｌ５７（窒素含有量：４．５質量％）
【０１０８】
＜消泡剤＞
Ｈ−１：ポリアルキルハロアルキルシロキサン（１００％）、東レ・ダウコーニング株式会社製、ＦＳ  １２６５（３００ｃＳ）（２５℃動粘度：２７０〜３３０ｍｍ２／ｓ、比重（２５℃）：１．２２〜１．３２、屈折率（２５℃）：１．３７８〜１．３８３）
【０１０９】
各成分の各元素含有量は、ＩＣＰ元素分析法によって求めた。
【０１１０】
（１）粘度特性
ＪＩＳ  Ｋ２２８３に準拠し、各潤滑油組成物の１００℃における動粘度を測定した。
【０１１１】
（２）低温特性
ＡＳＴＭ  Ｄ  ２９８３に準拠し、各潤滑油組成物の−４０℃におけるＢＦ粘度を測定した。本試験においては、ＢＦ粘度の値が小さい（例えば、１，５００ｍＰａ・ｓ以下）ほど、低温特性に優れていることを意味する。
【０１１２】
（３）摩擦特性−１
ＭＴＭ（Ｍｉｎｉ  Ｔｒａｃｔｉｏｎ  Ｍａｃｈｉｎｅ）試験機（ＰＣＳ  Ｉｎｓｔｒｕｍｅｎｔｓ社製）を用いて、各潤滑油組成物の一定の荷重・滑り率での摩擦特性を摩擦係数（μ）として算出した。試験条件を以下に示す。本試験においては、摩擦係数が高い（例えば、０．０６０以上）ほど、乗り心地に優れていることを意味する。
転がり速度：２００ｍｍ／ｓ
荷重：３１Ｎ
滑り率：５０％
油温６０℃
【０１１３】
（４）摩擦特性−２
各潤滑油組成物について、以下の測定条件で、バウデン試験（バウデン式往復動摩擦試験）を行い、測定１０回目の動き出しにおける静摩擦係数（μｓ）及び測定１０回目の動摩擦係数（μｄ）を測定した。測定１０回目の動き出しにおける静摩擦係数（μｓ）が高い（例えば、０．１３５以上）ほど、操縦安定性に優れていることを意味する。なお、静摩擦係数（μｓ）が高すぎる（例えば、０．１４５超）と、操舵感が固くなる傾向にあるので、静摩擦係数（μｓ）は、特定範囲（例えば、０．１３５以上０．１４５以下）にあることが好ましい。また、測定１０回目の動摩擦係数（μｄ）が低い（例えば、０．０７５以下）ほど、乗り心地に優れていることを意味する。なお、動摩擦係数（μｄ）が低すぎる（例えば、０．０６５未満）と、安定感が失われる傾向にあるので、動摩擦係数（μｄ）は、特定範囲（例えば、０．０６５以上０．０７５以下）にあることが好ましい。
テストピース：ＳＵＪ−２球／クロムメッキ鋼板
荷重：９．８Ｎ
すべり速度：４ｍｍ／ｓ（ストローク：１０ｍｍ）
油温：２５℃又は８０℃
測定回数：２０回目
【０１１４】
（５）熱安定性
ビーカーに１００ｍＬ採取した潤滑油組成物を、空気恒温槽において、１５０℃で４８時間加熱した。加熱後の潤滑油組成物について、色相及びスラッジの有無を評価した。色相は、ＡＳＴＭ  Ｄ１５６に準拠して評価した。色相は、数値が小さい（例えば、５．０以下）ほど、熱安定性に優れていることを意味する。また、スラッジの有無は、目視で評価した。
【０１１５】
【表１】
2018203954.tif 000015
【０１１６】
【表２】
2018203954.tif 000016
【０１１７】
表１及び表２に示すとおり、実施例１〜８の潤滑油組成物は、粘度特性、低温特性、摩擦特性、及び熱安定性において、比較例１〜６の潤滑油組成物に比べて優れていた。これらの結果から、本発明の緩衝器用潤滑油組成物が、摺動部位において、低温から高温にわたって、静摩擦力を高めつつ、動摩擦力を低減させることができ、さらには、低温特性及び熱安定性に優れることが確認された。